(57)【要約】【課題】扉に対する扉開閉用取手の取り付け作業を簡単に行なえるようにした扉開閉用取手装置の取り付け部構造を提供する。【解決手段】扉開閉用取手装置１は前端部において全周に張り出す鍔部２が形成された縦長の固定ケース３と、固定ケース３の前面部に支持されて回転可能な取手４と、固定ケース３の背面側に設けられ取手４に結合され９０度の範囲で回転する爪片５と、固定ケース３の背面側において上下方向中央部に形成された凹部６内に取り付けられた締め付け用ねじ８を備えてなり、扉１０に形成された取り付け孔９に鍔部２内面が取り付け孔９周辺の扉１０の前面に当接するまで固定ケース３が嵌め込まれ、締め付け用ねじ８の頭部８ａと扉１０の内面との間に支持金具１１をスライドさせて嵌め込み、支持金具１１の両端を取り付け孔９側部の扉１０の内面に対向させ締め付け用ねじ８を締め付けることにより扉開閉用取手装置１を扉１０に取り付けるようにした。【選択図】図７
2008075243.tif 000002
【特許請求の範囲】
【請求項１】
扉に形成された縦長の取り付け孔に扉開閉用取手装置を取り付ける扉開閉用取手装置の取り付け部構造であって、扉開閉用取手装置は前端部において全周に張り出す鍔部が形成された縦長の固定ケースと、この固定ケースの前面部に上端側が固定ケースの左右方向に向く水平軸心の周りで回転できるように支持されて下端側が固定ケースから突出可能で且つ前記水平軸心に対して直交する水平軸心の周りで９０度の範囲で回転可能な取手と、前記固定ケースの背面側に設けられ前記取手に結合され前記９０度の範囲で回転する爪片と、前記固定ケースの背面に形成された凹部内において取り付けられた締め付け用ねじを備えてなり、前記取り付け孔に鍔部内面が取り付け孔周辺の扉の前面に当接するまで固定ケースが嵌め込まれ、前記凹部内において締め付け用ねじの頭部と扉の内面との間に一端側より中央部に亘って溝が形成された支持金具をスライドさせて嵌め込み、支持金具の両端を取り付け孔側部の扉の内面に対向させ締め付け用ねじを締め付けることにより扉開閉用取手装置を扉に取り付けるようにしたことを特徴とする扉開閉用取手装置の取り付け部構造。
【発明の詳細な説明】
【技術分野】
【０００１】
本発明は、例えば配電ボックスなどのスチール製キャビネットなどの扉に対して扉開閉用取手装置を取り付けるための扉開閉用取手装置の取り付け部構造に関するものである。
【背景技術】
【０００２】
従来のこの種扉開閉用取手は例えば特許文献１に開示されているような、固定ケースを扉の取付孔に扉正面側から嵌め込み、前端鍔部を扉に当接した状態で固定ケースの背面側よりＵ字形座金板を被せ、ビスにより締め付け固定することによりＵ字形座金板の先端を扉の内面に押し当て、扉に取り付けるようしたものが知られている。
【特許文献１】特開平１０−４６８７８号公報
【発明の開示】
【発明が解決しようとする課題】
【０００３】
上記特許文献１に記載の構成では、固定ケースを扉の取付孔に嵌め込んだ状態を片方の手で保持し、他方の手でＵ字形座金板を被せてビスによる締め付け作業を行なわねばならず、作業性が悪いという問題があった。
【０００４】
本発明の目的は、このような課題を解決するものであり、扉に対する扉開閉用取手の取り付け作業を簡単に行なえるようにした扉開閉用取手装置の取り付け部構造を提供することにある。
【課題を解決するための手段】
【０００５】
本発明の請求項１に記載の扉開閉用取手装置の取り付け部構造は、扉に形成された縦長の取り付け孔に扉開閉用取手装置を取り付ける扉開閉用取手装置の取り付け部構造であって、扉開閉用取手装置は前端部において全周に張り出す鍔部が形成された縦長の固定ケースと、この固定ケースの前面部に上端側が固定ケースの左右方向に向く水平軸心の周りで回転できるように支持されて下端側が固定ケースから突出可能で且つ前記水平軸心に対して直交する水平軸心の周りで９０度の範囲で回転可能な取手と、前記固定ケースの背面側に設けられ前記取手に結合され前記９０度の範囲で回転する爪片と、前記固定ケースの背面に形成された凹部内に取り付けられた締め付け用ねじを備えてなり、前記取り付け孔に鍔部内面が取り付け孔周辺の扉の前面に当接するまで固定ケースが嵌め込まれ、前記凹部内において締め付け用ねじの頭部と扉の内面との間に一端側より中央部に亘って溝が形成された支持金具をスライドさせて嵌め込み、支持金具の両端を取り付け孔側部の扉の内面に対向させ締め付け用ねじを締め付けることにより扉開閉用取手装置を扉に取り付けるようにしたことを特徴とする。
【発明の効果】
【０００６】
以上のように、本発明の扉開閉用取手装置の取り付け部構造は、扉開閉用取手装置を扉に取り付ける際、扉の取り付け孔に鍔部内面が取り付け孔周辺の扉の前面に当接するまで扉開閉用取手装置の固定ケースを嵌め込んだ状態で、締め付け用ねじの頭部と扉の内面との間に支持金具をスライドさせて嵌め込み、支持金具の両端を取り付け孔側部の扉の内面に対向させることにより仮固定状態となって前記取り付け孔からの扉開閉用取手装置の抜け外れはなくなり、その後締め付け用ねじを締め付けることにより扉に対する扉開閉用取手装置の取り付けが完了し、扉に対する扉開閉用取手の取り付け作業を簡単に行なえるようになる。
【発明を実施するための最良の形態】
【０００７】
以下、本発明の一実施の形態を、図１〜図７を用いて具体的に説明する。
図において、１は扉開閉用取手装置で、前端部において全周に張り出す鍔部２が形成された縦長の固定ケース３と、この固定ケース３の前面部に上端側が固定ケース３の左右方向に向く水平軸心の周りで回転できるように支持されて下端側が固定ケース３から突出可能で且つ前記水平軸心に対して直交する水平軸心の周りで９０度の範囲で回転可能な取手４と、前記固定ケース３の背面側に設けられ前記取手４に結合され前記９０度の範囲で回転する爪片５と、前記固定ケース３の背面側において上下方向中央部に形成された凹部６内の段部７に螺入して取り付けられた締め付け用ねじ８を備えている。この締め付け用ねじ８は扉開閉用取手装置１を取り付けるまでは緩められた状態となっている。９は扉開閉用取手装置１が嵌め込まれるように扉１０に形成された縦長の取り付け孔で、この取り付け孔９に鍔部２内面が取り付け孔９周辺の扉１０の前面に当接するまで固定ケース３が嵌め込まれ、前記締め付け用ねじ８の頭部８ａと扉１０の内面との間に一端側より中央部に亘って溝１１ａが形成されて二股状となった断面冂状の支持金具１１をスライドさせて嵌め込み、締め付け用ねじ８を締め付けることにより扉開閉用取手装置１を扉１０に取り付けるようになっている。詳しくは、前記支持金具１１の溝１１ａは締め付け用ねじ８の雄ねじ部８ｂに嵌り込み、締め付け用ねじ８の頭部８ａに係合した状態でスライドすることになる。また、支持金具１１の両端部において扉１０の内面に当接する先端部には締め付け用ねじ８の締め付けにより扉１０の内面に食い込む爪１１ｂが形成されている。
【０００８】
なお、前記爪片５は取手４が下向きとなっている状態において固定ケース３から水平に突出した状態となり、取手４を９０度水平に回転させると爪片５は下向きとなる。前記扉１０の端部には水平状態に向いた爪片５の先端を突出させるスリット１２が形成され、また前記扉１０が取り付けられるスチール製のキャビネット１３側には扉１０が閉じた状態において前記スリット１２に合致するスリット１４が形成されていて、水平状態に向いた爪片５の先端が両スリット１２，１４に係合して扉１０の閉塞状態が保持されるものである。
【０００９】
上記構成において、扉開閉用取手装置１を扉１０に取り付ける場合、先ず扉１０の取り付け孔９に鍔部２内面が取り付け孔９周辺の扉１０の前面に当接するまで固定ケース３を嵌め込み、かかる状態で扉１０の内側で前記締め付け用ねじ８の頭部８ａと扉１０の内面との間に支持金具１１をスライドさせて嵌め込み、支持金具１１の両端を取り付け孔９側部の扉１０の内面に対向させて仮固定状態にする。その状態では締め付け用ねじ８の頭部８ａと支持金具１１の平面部分１１ｃが引っ掛かった状態にあり、扉開閉用取手装置１から手を離しても取り付け孔９から扉開閉用取手装置１が脱落しない状態で保持される。その後、締め付け用ねじ８を締め付けることにより扉１０への扉開閉用取手装置１の取り付けが完了する。
【００１０】
ところで、上下方向に長い扉開閉用取手装置１を扉１０に取り付ける場合は上下方向に長い支持金具を用いることになり、これに合わせて前記溝１１ａも２本以上形成して２本以上の締め付け用ねじで締め付けるようにしても良い。
【図面の簡単な説明】
【００１１】
【図１】本発明の一実施の形態における扉開閉用取手装置を正面側から見た斜視図である。
【図２】同扉開閉用取手装置を背面側から見た斜視図である。
【図３】同扉開閉用取手装置を扉の取り付け孔に嵌め込んだ状態を正面側から見た正面図である。
【図４】同扉開閉用取手装置を扉の取り付け孔に嵌め込んだ状態を背面側から見た背面図である。
【図５】同扉開閉用取手装置を扉に取り付けるための支持金具の斜視図である。
【図６】同扉開閉用取手装置を扉に取り付けた状態を背面側から見た背面図である。
【図７】同扉開閉用取手装置を扉に取り付けた状態の側面断面図である。
【符号の説明】
【００１２】
１      扉開閉用取手装置
２      鍔部
３      固定ケース
４      取手
５      爪片
６      凹部
７      段部
８      締め付け用ねじ
８ａ    頭部
８ｂ    雄ねじ部
９      取り付け孔
１０      扉
１１      支持金具
１１ａ    溝
１１ｂ    爪
１１ｃ    平面部分
１２      スリット
１３      キャビネット
１４      スリット
【図１】
2008075243.tif 000003
【図２】
2008075243.tif 000004
【図３】
2008075243.tif 000005
【図４】
2008075243.tif 000006
【図５】
2008075243.tif 000007
【図６】
2008075243.tif 000008
【図７】
2008075243.tif 000009